(57)【要約】【課題】  記録媒体を折りたたんで記録し、その後に記録媒体を広げることで、プリンターの通紙可能サイズよりも大きい記録物を得る記録方法及び記録装置において、一度折りたたんで折れ曲がった記録媒体が良好に復元し、平面度が高い記録物が容易に得られる記録方法及び記録装置を提供すること。【解決手段】  枚葉の記録媒体を少なくとも１回折りたたみ、該記録媒体の少なくとも表裏いずれかの面に記録し、記録後に該記録媒体の折り目部を広げて枚葉の記録物を得る記録方法であって、上記記録媒体を広げた際における折り目部の復元性を向上させる工程を有することを特徴とする記録方法、及び該方法を実現してなる記録装置。【選択図】  図１
2006225111.tif 000002
【特許請求の範囲】
【請求項１】
枚葉の記録媒体を少なくとも１回折りたたみ、該記録媒体の少なくとも表裏いずれかの面に記録し、記録後に該記録媒体の折り目部を広げて枚葉の記録物を得る記録方法であって、上記記録媒体を広げた際における折り目部の復元性を向上させる工程を有することを特徴とする記録方法。
【請求項２】
前記折り目部の復元性を向上させる工程において、前記記録媒体に液体を付与する請求項１に記載の記録方法。
【請求項３】
前記液体の付与を、前記記録媒体の少なくとも折り目部に行う請求項２に記載の記録方法。
【請求項４】
前記液体の付与を、前記記録媒体の記録部側の面に行う請求項２に記載の記録方法。
【請求項５】
前記液体の付与を、前記記録媒体の未記録部側の面に行う請求項２に記載の記録方法。
【請求項６】
更に、前記記録媒体への液体の付与後に、該記録媒体に荷重をかける請求項２に記載の記録方法。
【請求項７】
前記記録媒体に荷重をかける際に、同時に加熱を行う請求項６に記載の記録方法。
【請求項８】
前記液体の付与を、前記記録媒体に記録後２０分以上経過してから行う請求項２に記載の記録方法。
【請求項９】
前記記録媒体を折りたたんでから１時間以内に、該記録媒体への記録、液体の付与、及び、該記録媒体の折り目部を広げることを行う請求項２に記載の記録方法。
【請求項１０】
前記液体は、沸点が４０℃以上である請求項２に記載の記録方法。
【請求項１１】
前記液体の付与を、記録装置内に設置された液体付与装置により行う請求項２に記載の記録方法。
【請求項１２】
前記液体付与装置が、ローラー状の液体付与装置である請求項１１に記載の記録方法。
【請求項１３】
前記液体付与装置が、インクジェット記録ヘッドである請求項１１に記載の記録方法。
【請求項１４】
前記液体の付与が、治具によって行われる請求項２に記載の記録方法。
【請求項１５】
請求項１〜１４のいずれか１項に記載の記録方法による記録を実現してなることを特徴とする記録装置。
【発明の詳細な説明】
【技術分野】
【０００１】
本発明は、記録装置を用いて記録物を得る、記録方法及び記録装置に関する。尚、本発明における「記録方法」とは、記録装置を用いて、単に記録媒体に記録することだけでなく、記録を行う前又は行った後に、記録媒体を折りたたんだり、記録媒体に液体を付与したりする工程をも含み、最終記録物を得るまでの工程を意味している。
【背景技術】
【０００２】
従来は、プリンターといえば、企業や学校が所有するのが一般的であった。しかし、技術革新が進み、高性能のプリンターが、一般家庭でも手に入るほどの手頃な値段で提供されるようになってきており、特に、インクジェットプリンターは、近年では、一般家庭においても高い普及率を誇っている。
【０００３】
しかし、一般家庭では、プリンターを置く場所に制約があり、Ａ４以上の大判プリンターを配置することは難しいというのが現状である。この問題を解決するために、記録媒体を折りたたみ、その状態で記録することで、プリンターの通紙可能サイズよりも大きい記録物を得ることが提案されている（例えば、特許文献１参照）。かかる方法によって記録媒体にプリントした場合は、記録後に折りたたんだ記録媒体を広げて、折れ曲がった記録媒体を復元させる必要がある。そして、復元性のよい紙として、発泡微粒子を含む層を有する多層構造の記録媒体が提案されている（特許文献２参照）。
【０００４】
【特許文献１】特開平１１−１０８４７号公報
【特許文献２】特開平０９−００１９７４号公報
【発明の開示】
【発明が解決しようとする課題】
【０００５】
しかしながら、記録媒体を折りたたんで記録し、その後に記録媒体を広げることでプリンターの通紙可能サイズよりも大きい記録物を得る上記した記録方法においては、一度折れ曲がった記録媒体を広げても元の平面度を得ることは難しく、上記方法によって得られる記録物は、記録媒体の折り目部の復元性に問題があった。これに対して、上記した折り曲げ後の復元性のよい、発泡微粒子を含む層を有する多層構造の紙を使用することが考えられるが、この場合は、印刷適性が充分とはいえず、得られる記録物の印字品位に問題があった。
【０００６】
従って、本発明の目的は、記録媒体を折りたたんで記録し、その後に記録媒体を広げることで、プリンターの通紙可能サイズよりも大きい記録物を得る記録方法及び記録装置において、一度折りたたんで折れ曲がった記録媒体が良好に復元し、平面度が高い記録物が容易に得られる記録方法及び記録装置を提供することである。
【課題を解決するための手段】
【０００７】
上記の目的は、下記の本発明によって達成される。即ち、本発明は、［１］枚葉の記録媒体を少なくとも１回折りたたみ、該記録媒体の少なくとも表裏いずれかの面に記録し、記録後に該記録媒体の折り目部を広げて枚葉の記録物を得る記録方法であって、上記記録媒体を広げた際における折り目部の復元性を向上させる工程を有することを特徴とする記録方法である。
【０００８】
又、上記本発明にかかる記録方法の好ましい形態としては、下記の方法が挙げられる。［２］上記折り目部の復元性を向上させる工程において、上記記録媒体に液体を付与する上記［１］に記載の記録方法。［３］液体の付与を、上記記録媒体の少なくとも折り目部に行う上記［２］に記載の記録方法。［４］液体の付与を、上記記録媒体の記録部側の面に行う上記［２］に記載の記録方法。［５］液体の付与を、上記記録媒体の未記録部側の面に行う上記［２］に記載の記録方法。［６］液体の付与を、上記記録媒体への記録後に行う上記［２］に記載の記録方法。［７］液体の付与を、上記記録媒体への記録中に行う上記［２］に記載の記録方法。［８］液体の付与を、上記記録媒体への記録前に行う上記［２］に記載の記録方法。
【０００９】
更に、上記本発明にかかる記録方法の好ましい形態としては、下記の方法が挙げられる。［９］更に、前記記録媒体への液体の付与後に、該記録媒体に荷重をかける上記［２］に記載の記録方法。［１０］上記記録媒体に荷重をかける際に、同時に加熱を行う上記［９］に記載の記録方法。［１１］上記液体の付与を、前記記録媒体に記録後２０分以上経過してから行う上記［２］に記載の記録方法。［１２］上記記録媒体を折りたたんでから１時間以内に、該記録媒体への記録、液体の付与、及び、該記録媒体の折り目部を広げることを行う上記［２］に記載の記録方法。［１３］上記液体は、沸点が４０℃以上である上記［２］に記載の記録方法。［１４］上記液体の付与を、記録装置内に設置された液体付与装置により行う上記［２］に記載の記録方法。［１５］上記液体付与装置が、ローラー状の液体付与装置である上記［１４］に記載の記録方法。［１６］上記液体付与装置が、インクジェット記録ヘッドである上記［１４］に記載の記録方法。［１７］上記液体の付与が、治具によって行われる上記［２］に記載の記録方法。［１８］上記治具が、液体に記録媒体を浸漬させる方式である上記［１７］に記載の記録方法。［１９］上記治具が、記録媒体に液体を転写させる方式である上記［１７］に記載の記録方法。［２０］上記治具が、液体塗布ローラーである上記［１７］に記載の記録方法。
【００１０】
更に、本発明にかかる別の実施形態は、上記いずれかに記載の記録方法による記録を実現してなることを特徴とする記録装置である。
【発明の効果】
【００１１】
本発明によれば、記録媒体を折りたたんだ記録媒体を使用することで、プリンターの通紙可能サイズよりも大きい記録物を得るものでありながら、一度折れ曲がった記録媒体の折り目の部分が良好に復元されて、平面度の高い良好な記録物が得られる（以下、これを、記録媒体の折り曲げ復元性と呼ぶ）記録方法及び記録装置が提供される。
【発明を実施するための最良の形態】
【００１２】
以下、好ましい実施形態を挙げて本発明を説明する。先ず、本発明にかかる記録方法に使用する記録媒体としては、折りたたんだ状態でプリンターに通紙が可能であり、記録した場合の記録物の品位が良好なものであれば、いずれのものも使用できる。好ましくは、表面にコート層が設けられていない、均一な材料で構成される、いわゆる普通紙を使用する。
【００１３】
本発明にかかる記録方法では、折りたたんだ状態の記録媒体の、少なくとも表裏の１面に記録を行うが、その際に用いるインクとしては、通常プリンターに搭載されているインクであれば、顔料インク或いは染料インク等、どのようなインクでも使用可能である。
【００１４】
本発明にかかる記録方法における、記録媒体を広げた際における折り目部の復元性を向上させる工程としては、具体的には、記録媒体に液体を付与することが挙げられる。その場合における記録媒体へ液体を付与する位置としては、記録媒体に形成された少なくとも折り目部に行うようにすることが好ましい。具体的には、折り目部のみに液体を付与してもよいし、記録媒体の記録部側の面、或いは、記録媒体の未記録部側の面に液体を付与してもよい。
【００１５】
又、記録工程において、記録媒体へ液体を付与する段階は、記録部を形成する前であっても、記録部を形成中であっても、記録部の形成後であってもよい。例えば、液体の付与を、記録媒体に記録後２０分以上経過してから行うと、画像品位が良好となるため、好ましい。又、より折り曲げ復元性を向上させるためには、記録を開始する直前に記録媒体を折りたたむようにし、記録媒体を折りたたんでから１時間以内に、該記録媒体への記録、液体の付与、及び、該記録媒体の折り目部を広げることを行うようにすることが好ましい。
【００１６】
より折り目部復元性を向上させるためには、更に、記録媒体へ液体を付与することに併用して、折り目部を広げた後の記録媒体に荷重をかけること、或いは、荷重をかけると同時に加熱することも好ましい形態である。
【００１７】
上記において使用する液体としては、沸点が４０℃以上であるものが好ましい。本発明者らの検討によれば、このような液体を記録媒体に付与することで記録媒体の折り目部の復元性が向上するメカニズムは、以下のようであると考えられる。記録媒体に普通紙を使用した場合について説明すると、記録媒体に液体を付与すると、記録媒体を構成するセルロース繊維の交点に存在する水素結合中に液体が入り込み、一定時間移動せずにとどまり、この結果、折り目部が良好な状態に復元すると考えられる。
【００１８】
従って、本発明で使用する液体は、記録媒体を構成するセルロース繊維等の中に、一定時間移動せずにとどまるものであればよく、沸点４０℃以上の液体であればどんな液体でも使用可能である。このような液体としては、例えば、水、グリセリン、エチレングリコール、ジエチレングリコール、ポリエチレングリコール２００等が挙げられる。又、常温において固体であっても、液体に溶解した状態で、記録媒体中に一定時間移動せずにとどまるものであれば使用することができる。このようなものの中でも特に、Ｎ−Ｎ’−（２ビスヒドロキシエチル）ウレアの２０％水溶液は、優れた折り目部の復元性を発現でき、好ましい液体である。又、本発明において使用する液体は、上述した液体の混合形であってもよい。
【００１９】
上記に列挙したような液体は、画像形成に使用するインクとの兼ね合いで適宜に選択して用いればよいが、以下、これについて説明する。例えば、記録に用いるインクが顔料インクである場合には、上記に列挙した全ての液体を使用することができる。しかし、近年のフォト画像を考慮すると、より発色性の高い染料インクが用いられることが多くなっているが、この場合には、付与する液体によってはマイグレーションを引き起こすことがあるので、下記のような液体を選択して使用することが好ましい。この場合に使用できる折り目部復元性を向上させる液体としては、例えば、ポリエチレングリコール２００、Ｎ−Ｎ’−（２ビスヒドロキシエチル）ウレアの２０％水溶液が挙げられる。
【００２０】
本発明にかかる記録方法によって、より顕著な効果を得るためには、例えば、ＰＩＸＵＳ９９０ｉ（商品名、キヤノン（株）製）等の、ふち無し印刷が可能なプリンターを使用することが好ましい。このような装置を用いた場合には、記録媒体の折り目部においても良好な記録が行われ、最終的に、記録媒体の折り目部につなぎ筋のない良好な記録物を得ることができる。
【実施例】
【００２１】
以下、図面を参照しながら実施例を挙げて、本発明を更に詳細に説明する。
［実施例１］
（原理説明）
図１は、本実施例の記録方法の工程を説明するための概略工程図である。図１（ａ）は、記録に用いる記録媒体の折り方、図１（ｂ）は、該記録媒体へのプリンターによる記録、図１（ｃ）は、該記録媒体への液体の付与、図１（ｄ）は、記録後に記録媒体を広げた後の状態、図１（ｅ）は、最終記録物を示す。
【００２２】
記録媒体１には、Ａ３サイズのスーパーホワイトペーパーＳＷ−１０１（キヤノン製）を用いた。図１（ａ）に示したように、先ず、該記録媒体１を、折り目位置５で半分に折りたたみ、図１（ａ）に示した記録媒体２の形状とした。これによって、Ａ４用のプリンター３への通紙が可能となる。プリンター３には、顔料インクを搭載したＰＸ−Ｇ９００（エプソン製）を用いた。そして、上記のように記録媒体１を折りたたんだ後、１５分以内に、記録媒体２の両面へと記録を行った（図１（ｂ）参照）。
【００２３】
次に、記録後２０分経過後、図１（ｃ）に示したようにして、記録媒体２の折り目部を液体４に３０秒間浸漬した。本実施例では、液体４に、Ｎ−Ｎ’−（２ビスヒドロキシエチル）ウレアの２０％水溶液を使用した。浸漬直後、折りたたんだ記録媒体２の折り目が開くように、図１（ｄ）の状態で放置した。この結果、１２時間後に、図１（ｅ）の形態の記録物２が得られた。尚、本実施例において、図１（ｄ）の状態で、記録媒体２を放置する場合の、記録媒体２が置かれる面は記録媒体２の端部の移動が可能なように、摩擦の少ない面に放置した。
【００２４】
上記したように、本実施例では、Ａ４用のプリンターで記録したにもかかわらず、得られた記録物は、Ａ３サイズの記録物であり、しかも、折り目部のつなぎ筋がなく、且つ、折り目のない、平面度の高い高品位の記録物を得ることができた。
【００２５】
図２に、本発明において可能な、記録媒体に液体を付与するタイミングを示した。本実施例においては、図２にタイミング（３）として示した、画像を記録後に液体を付与した。図２に示したように、本発明はこれに限定されず、液体を付与するタイミングとしては、記録媒体を折る前のタイミング（１）であってもよく、記録中のタイミング（２）であってもよい。
【００２６】
［実施例２］
図３は、本実施例における記録工程を示す概略説明図である。本実施例では、記録媒体を２箇所で折りたたんで、液体の付与をプリンターに搭載されたローラーによって行い、更に、記録媒体を広げた後に、記録媒体が効果的に復元するよう荷重をかけた。図３（ａ）は、本実施例で行った記録媒体の折り方を示し、図３（ｂ）は、該記録媒体へのプリンターによる片面側への記録、図３（ｃ）は、該記録媒体へのプリンターによるもう一方の面への記録と、記録と同時に行われるローラーによる液体の付与を示す。又、図３（ｄ）は、該記録媒体を広げた後に、記録媒体に荷重をかけての放置状態を示し、図３（ｅ）は、最終記録物の状態を示す。
【００２７】
本実施例では、記録媒体１１に、Ａ３サイズのコピー用普通紙（キヤノン製）を用いた。そして、先ず、図３（ａ）に示したように、記録媒体１１を、２箇所の折り目位置１７で折りたたんで、記録媒体１２の形状とした。これによって、Ａ４用のプリンター１５への通紙が可能となる。プリンター１５には、染料インクを搭載したＰＩＸＵＳ−９９０ｉ（商品名、キヤノン製）を、ローラーによって液体が付与できるように改良したプリンターを用いた。
【００２８】
記録媒体１１を折り曲げた後、１５分以内に、図３（ｂ）に示したように、記録媒体１２の片面側に記録を行った。次いで、図３（ｃ）に示したように、図３（ｂ）で記録した反対側の面に記録を行った。この記録の際に、プリンター１５内にある、プリントヘッド１３よりも排紙側に設置されたローラー１４が、記録媒体１２に接する位置まで降下する。この結果、ローラー１４が含浸しているエチレングリコールが、記録直後の記録媒体１２に付与される。
【００２９】
更に、プリンター排紙直後、記録媒体１２の折り目が開くように、図３（ｄ）のように荷重をかけて放置した。この結果、１２時間後に、図３（ｅ）に示した平面度の高い形態の記録物が得られた。上記したように、本実施例の記録方法を採用することで、Ａ４用のプリンターで記録したにもかかわらず、得られた記録物は、Ａ３サイズの記録物であり、しかも、折り目部のつなぎ筋がなく、且つ、折り目のない平面度の高い、高品位の記録物を得ることができた。
【００３０】
［実施例３］
図４は、本実施例における記録工程を示す概略説明図である。本実施例では、記録媒体に対して折りたたみ動作を複数回行い、その状態で記録を行い、更に、液体の付与をプリンターに搭載されたヘッドで選択的に行った。図４（ａ）は、本実施例において最初に行う記録媒体の折り方を示し、図４（ｂ）は、該記録媒体へのプリンターによる両面記録を示す。又、図４（ｃ）は、２回目に行う記録媒体の折り方、図４（ｄ）は、該記録媒体へのプリンターの記録ヘッドによる記録及び液体の付与を示す。更に、図４（ｅ）は、該記録媒体を広げた後の状態、図４（ｆ）は、最終記録物を示す。
【００３１】
本実施例では、記録媒体２１に、Ａ３サイズのスーパーホワイトペーパーＳＷ−１０１（キヤノン製）を用いた。先ず、図４（ａ）に示したように、この記録媒体２１を、折り目位置２７で２回折りたたんで、記録媒体２３の形状とした。これにより、Ａ４用のプリンター２４への通紙が可能となる。プリンター２４には、染料インクを搭載したＰＩＸＵＳ−９９０ｉ（キヤノン製）を、記録ヘッドでの液体の付与が可能となるように改良したプリンターを用いた。
【００３２】
上記のようにして折り曲げてたたんだ後、１５分以内に、図４（ｂ）に示したように記録媒体２３の両面へ記録をした。次いで、図４（ｃ）に示したように、該記録媒体２３の内面側が表に出るように折り目位置２８で折り返し、記録媒体２６の形状とした。そして、折りたたみ後、１５分以内に、図４（ｄ）に示したように、該記録媒体２６の両面へ記録を行った。この際、プリンター２４内にある、プリントヘッド１３より、排紙側に設置された液体付与ヘッド２５によって記録媒体２６の両側にある折り目部に液体を付与して、液体を折り目に浸透させた。本実施例では、液体に、Ｎ−Ｎ’−（２ビスヒドロキシエチル）ウレアの１５％水溶液を使用したが、該液体は、記録媒体２６の折り目部のみに選択的に付与される。
【００３３】
更に、プリンター排紙直後、記録媒体２６の折り目を開き、図４（ｅ）に示した状態にして放置した。この結果、１２時間後に、図４（ｆ）に示したような、平面度の高い形態の記録物が得られた。上記したように、本実施例の記録方法を採用することで、Ａ４用のプリンターで記録したにもかかわらず、得られた記録物は、Ａ３サイズの記録物であり、しかも、折り目部のつなぎ筋がなく、且つ、折り目のない平面度の高い、高品位の記録物を得ることができた。尚、本実施例において、図４（ｅ）の状態で、記録媒体２６を放置する場合における記録媒体２６が置かれる面は、記録媒体２６の端部の移動が可能なように、摩擦の少ない面に放置した。
【００３４】
［実施例４］
図５は、本実施例における記録工程を示す概略説明図である。本実施例では、インクに、記録媒体の折り目部復元性に効果がある液体を含有したものを使用し、記録と同時に該液体を記録媒体に付与した。図５（ａ）は、本実施例で行った記録媒体の折り方を示し、図５（ｂ）及び（ｃ）は、プリンターによる記録及び液体の付与、図５（ｄ）は、記録媒体を広げた後の状態、図５（ｅ）は、最終記録物の状態を示す。
【００３５】
本実施例では、記録媒体３１に、Ａ３サイズのスーパーホワイトペーパーＳＷ−１０１（キヤノン製）を用いた。先ず、図５（ａ）に示したように、該記録媒体３１を、２箇所の折り目位置３５で折り曲げてたたんで、記録媒体３２の形状とした。これにより、記録媒体３２は、Ａ４用のプリンター３４への通紙が可能となる。プリンター３４には、ＰＩＸＵＳ−９９０ｉ（商品名、キヤノン製）を改良し、通常の染料インクの成分のうち、水１０％をＮ−Ｎ’−（２ビスヒドロキシエチル）ウレア１０％に置き換えたインクを搭載したプリンターを用いた。
【００３６】
そして、折り曲げ後１５分以内に、図５（ｂ）に示したように、該記録媒体３２の片方の面に記録した。次いで、該記録媒体３２の表裏を逆にして、図５（ｃ）に示したように、記録媒体３２の、もう片方の面に記録した。上記した記録の際に、通常の染料インクの成分のうち、水１０％をＮ−Ｎ’−（２ビスヒドロキシエチル）ウレア１０％に置き換えたインクを使用しているため、本実施例で使用したインクは、折り曲げ復元性を向上させる液体を兼ねている。従って、本実施例では、記録媒体３２の記録面の、インクが付与されている全ての箇所に液体が付与されることとなる。
【００３７】
プリンター排紙直後、該記録媒体３２の折り目を開き、図５（ｄ）に示した状態で放置した。この結果、１２時間後、図５（ｅ）に示した形態の記録物が得られた。上記したように、本実施例の記録方法を採用することで、Ａ４用のプリンターで記録したにもかかわらず、得られた記録物は、Ａ３サイズの記録物であり、しかも、折り目部のつなぎ筋がなく、且つ、折り目のない平面度の高い、高品位の記録物を得ることができた。尚、本実施例において、図５（ｄ）の状態で、記録媒体３２を放置する場合における記録媒体３２が置かれる面は、記録媒体３２の端部の移動が可能なように、摩擦の少ない面に放置した。
【００３８】
［実施例５］
図６は、本実施例における記録工程を示す概略説明図である。本実施例では、折りたたんだ記録媒体に記録した後、該記録媒体に、ローラーを用いて手動で液体を付与し、その後、該記録媒体を広げて、更に、効果的に復元するよう、該記録媒体に荷重をかけた。図６（ａ）は、記録媒体を折りたたんだ、記録する前の状態を示し、図６（ｂ）は、該記録媒体にプリンターで記録する状態を示し、図６（ｃ）は、該記録媒体へ液体を付与する状態を示す。又、図６（ｄ）は、該記録媒体を広げた後における処理の状態を示し、図６（ｅ）は、最終記録物の状態を示す。
【００３９】
記録媒体４１は、図６（ａ）に示したようにして、予め２箇所で折り曲げられてＡ４プリンターに通紙可能な形状であるが、長さ１ｍの記録媒体である。プリンター４２には、染料インクを搭載したＰＩＸＵＳ−９９０ｉ（商品名、キヤノン製）を用い、図６（ｂ）のように記録媒体４１の両面へ記録した。
【００４０】
次に、記録した１２時間後の、記録した染料が完全に定着した後に、図６（ｃ）に示したように、手動式のローラー４３を用いて、該記録媒体４１の記録面に水を付与した。続いて、液体を付与した後の記録媒体４１の折り目を開き、図６（ｄ）のようにして、重石４４を使用して、該記録媒体４１に３ｇ／ｃｍ2の荷重をかけて放置した。この結果、１２時間後、図６（ｅ）に示した形態の記録物が得られた。
【００４１】
上記したように、本実施例の記録方法を採用することで、Ａ４用のプリンターで記録したにもかかわらず、得られた記録物は、Ａ３サイズよりも大きい記録物であり、しかも、折り目部のつなぎ筋がなく、且つ、折り目のない平面度の高い、高品位の記録物を得ることができた。本実施例の記録方法を用いれば、例えば、スポーツ観戦時の応援幕としても応用することができる大判の記録物を、容易に得ることができる。
【００４２】
［実施例６］
図７は、本実施例における記録工程を示す概略説明図である。本実施例では、ローラーを用いて手動で記録媒体に予め液体を付与し、その後、記録媒体を折りたたんで記録し、更に、折り曲げ跡が効果的に復元するよう、記録後に、荷重と加熱を行った。図７（ａ）は、液体の付与の状態を示し、図７（ｂ）は、記録媒体の折り方を示し、図７（ｃ）はプリンターによる記録の状態を示し、図７（ｄ）は、記録媒体を広げた後の処理の状態を示し、図７（ｅ）は、最終記録物の状態を示す。
【００４３】
記録媒体５１には、Ａ３サイズのスーパーホワイトペーパーＳＷ−１０１（キヤノン製）を用いた。先ず、図７（ａ）に示したように、ローラー４２を用いて、記録媒体５１の片面の全面に、手動でポリエチレングリコール２００を付与した。次いで、図７（ｂ）に示したように、該記録媒体５１を、折り目位置５５で、液体が付与されている面を中側にして折りたたんで、記録媒体５２の形状とした。このようにすることで、プリンター５３への通紙が可能となる。プリンター５３には、ＰＩＸＵＳ−８６０ｉ（キヤノン製）を用いた。上記のように折り曲げた後、１５分以内に、図７（ｃ）に示したように、該記録媒体５２の両面へ記録した。
【００４４】
更に、記録後１５分以内に、該記録媒体５２の折り目を開き、図７（ｄ）に示したようにヒーター５４の上に該記録媒体５２を乗せ、重石４４を使用して３ｇ／ｃｍ2の荷重をかけて放置した。その結果、１２時間後に、図７（ｅ）に示した形態の記録物が得られた。上記したように、本実施例の記録方法を採用することで、Ａ４用のプリンターで記録したにもかかわらず、得られた記録物は、Ａ３サイズの記録物であり、しかも、折り目部のつなぎ筋がなく、且つ、折り目のない平面度の高い、高品位の記録物を得ることができた。
【００４５】
［実施例７］
図８は、本実施例における記録工程を示す概略説明図である。本実施例では、液体の付与に転写治具を用い、手動で記録媒体の片面に予め液体を付与し、その後、該記録媒体を折りたたんで記録を行った。図８（ａ）は、液体を付与する状態を示し、図８（ｂ）は、本実施例において行った該記録媒体の折り方を示す。本実施例では、液体を付与した面が中側になるように折りたたんだ。図８（ｃ）は、該記録媒体へのプリンターによる記録の状態であり、図８（ｄ）は、記録媒体を広げた後における処理の状態、図８（ｅ）は、最終記録物の状態を示す。
【００４６】
記録媒体６２には、Ａ３サイズのスーパーホワイトペーパーＳＷ−１０１（キヤノン製）を用いた。先ず、図８（ａ）に示したように、転写治具６１に、記録媒体６２を挟み、該記録媒体の片側の全面に、転写ヘラ６３を用いて、手動でジエチレングリコール７０％＋グリセリン３０％の混合溶液を付与した。次いで、図８（ｂ）に示したように、該記録媒体６２を折り目位置６５で折り曲げて、記録媒体６４の形状とした。これにより、プリンター５３への通紙が可能となる。プリンター５３には、ＰＩＸＵＳ−８６０ｉ（商品名、キヤノン製）を用いた。先に説明したようにして記録媒体を折り曲げ後、１５分以内に、図８（ｃ）に示したように、該記録媒体６４の両面へ記録した。更に、記録後１５分以内に、該記録媒体６４の折り目を開き、図８（ｄ）に示したような状態で放置した。この結果、１２時間後に、図８（ｅ）に示した形態の記録物が得られた。
【００４７】
上記したように、本実施例の記録方法を採用することで、Ａ４用のプリンターで記録したにもかかわらず、得られた記録物は、Ａ３サイズの記録物であり、しかも、折り目部のつなぎ筋がなく、且つ、折り目のない平面度の高い、高品位の記録物を得ることができた。尚、本実施例において、図８（ｄ）の状態で、記録媒体６４を放置する場合における記録媒体６４が置かれる面は、記録媒体６４の端部の移動が可能なように、摩擦の少ない面に放置した。
【産業上の利用可能性】
【００４８】
本発明の活用例としては、汎用のＡ４用のプリンターで、これよりもサイズが大きく、しかも、折り目部のつなぎ筋がなく、且つ、折り目のない平面度の高い、高品位の記録物が得られるため、従来のプリンターよりも多目的に使用可能な記録装置が挙げられる。
【図面の簡単な説明】
【００４９】
【図１】本発明にかかる記録方法の一例を説明する工程図である。
【図２】本発明にかかる記録方法における液体付与のタイミングを説明するための図である。
【図３】本発明にかかる記録方法の他の一例を説明する工程図である。
【図４】本発明にかかる記録方法の他の一例を説明する工程図である。
【図５】本発明にかかる記録方法の他の一例を説明する工程図である。
【図６】本発明にかかる記録方法の他の一例を説明する工程図である。
【図７】本発明にかかる記録方法の他の一例を説明する工程図である。
【図８】本発明にかかる記録方法の他の一例を説明する工程図である。
【符号の説明】
【００５０】
１、１１、２１、３１、５１、６２：記録媒体
２、１２、２２、３２、４１、５２、６４：折り曲げた状態の記録媒体
３、１５、２４、３４、４２、５３：プリンター
４：液体
５、１７、２７、２８、３５、５５、６５：折り目位置
１３、３３：プリントヘッド
１４、４２、４３：ローラー
１６：荷重システム
２３：更に折り曲げた記録媒体
２５：液体付与ヘッド
２６：逆側に折り曲げた記録媒体
４４：重石
５４：加熱ヒーター
６１：転写治具
６３：転写ヘラ
【図１】
2006225111.tif 000003
【図２】
2006225111.tif 000004
【図３】
2006225111.tif 000005
【図４】
2006225111.tif 000006
【図５】
2006225111.tif 000007
【図６】
2006225111.tif 000008
【図７】
2006225111.tif 000009
【図８】
2006225111.tif 000010